(57)【要約】【課題】  損傷して通帳情報を読み出すことのできない通帳に対し、顧客の手を煩わせることなく、記帳を行う制御方法を提供する。【解決手段】  通帳情報が記録媒体に保持されている通帳において、通帳情報を喪失した通帳に対し、当該通帳に対応付けられて発行された取引カードに対応付けられている暗証番号に基づいて顧客の認証を行って、記帳を行う制御方法において、顧客から通帳を受入れて、記録媒体から通帳情報を抽出する通帳情報抽出手段５１と、通帳情報を抽出できないとき、顧客から取引カードを受入れて前記顧客からの暗証番号を照合し、顧客の認証を行う認証手段５２と、顧客が認証されると、記帳を行うために必要な記帳データを取得する記帳データ取得手段５３と、取得した記帳データに基づいて通帳に対し記帳処理を行う印字手段５４とを備える。【選択図】        図１
2006040074.tif 000002
【特許請求の範囲】
【請求項１】
通帳情報が記録媒体に保持されており、該記録媒体が設けられた通帳において、前記通帳情報を喪失した通帳に対し、当該通帳に対応付けられて発行された取引カードに対応付けられている暗証番号に基づいて前記顧客の認証を行って、記帳を行う制御方法において、
顧客から前記通帳を受入れて、前記記録媒体から通帳情報を抽出する通帳情報抽出手段と、
前記通帳情報を抽出できないとき、前記顧客から前記取引カードを受入れて前記顧客からの暗証番号を照合し、前記顧客の認証を行う認証手段と、
前記顧客が認証されると、記帳を行うために必要な記帳データを取得する記帳データ取得手段と、
取得した記帳データに基づいて前記通帳に対し記帳処理を行う印字手段とを備えることを特徴とする記帳制御方法。
【発明の詳細な説明】
【技術分野】
【０００１】
本発明は、磁気媒体が設けられた通帳に対する記帳制御方法に関し、特に磁気媒体に記録された通帳情報が喪失した記帳に対し、当該通帳に対応付けられて発行された取引カードを用いて強制記帳を行う制御方法に関するものである。
【背景技術】
【０００２】
金融機関が顧客に対し発行する通帳は、記録媒体として磁気ストライプ（以降、単にＭＳと称す）が設けられている。ＭＳには顧客および通帳を識別するために必要な情報や記帳に必要な情報などが通帳情報として記録されている。ところで、金融機関は顧客に対し、前記した通帳に対応付けた取引カードを発行している。この取引カードは、いわゆるキャッシュカードであり、該キャッシュカードに対応付けられた暗証番号と予め登録されている番号とを照合することで顧客の認証が行われ、認証されると顧客は金融機関と取引を行うことができる。この金融取引のためにＡＴＭ（Automated Teller Machine）などの自動取引装置が用いられている。
【０００３】
キャッシュカードや通帳を用いた金融取引を行うＡＴＭは、取引結果を通帳に記帳する機能を備えており、通帳に設けられたＭＳから通帳情報を読み出し、この読み出した情報に基づいて、金融機関の管理センタから記帳に必要なデータを取得し、該記帳データに基づいて印字処理を行う。
【０００４】
ところで、記帳を行う際、通帳のＭＳに記録されている通帳情報の読取を行うが、ＭＳが消磁されていると、通帳情報を読取ることができない。このような通帳情報を取得できない通帳に対し、記帳を行う制御方法が特許文献１に開示されている。特許文献１によれば、通帳に対応づけられているキャッシュカードを用いて顧客の認証を行って、顧客が認証されると管理センタから通帳情報を取得して、該通帳情報をＭＳに再度記録した後、記帳処理を行う制御方法が開示されている。
【０００５】
【特許文献１】特開平１１−１７５８１０号公報
【発明の開示】
【発明が解決しようとする課題】
【０００６】
ところが、従来の記帳制御方法は、通帳情報を取得して、該記帳情報をＭＳに記録し直してから記帳を行っている、すなわち一旦、通帳情報の再生を行った後、改めて記帳処理を行っていることから、顧客の手を煩わせることとなり、これが問題となっていた。
また、従来の記帳制御方法は、一旦、通帳情報を再生させた後、記帳処理を行うことから、ＭＳ自体が損傷している場合、ＭＳに通帳情報を再生（記録）することができず、その後の記帳処理を行うことができないことも問題となっていた。
【０００７】
従って、本発明の目的は、記録媒体が損傷して通帳情報を読み出すことのできない通帳に対し、顧客の手を煩わせることなく、記帳を行う制御方法を提供することにある。
【課題を解決するための手段】
【０００８】
本発明は、以上の点を解決するために、次の構成を採用する。
通帳情報が記録媒体に保持されており、該記録媒体が設けられた通帳において、通帳情報を喪失した通帳に対し、当該通帳に対応付けられて発行された取引カードに対応付けられている暗証番号に基づいて顧客の認証を行って、記帳を行う制御方法において、
顧客から前記通帳を受入れて、記録媒体から通帳情報を抽出する通帳情報抽出手段と、通帳情報を抽出できないとき、顧客から取引カードを受入れて顧客からの暗証番号を照合し、顧客の認証を行う認証手段と、顧客が認証されると、記帳を行うために必要な記帳データを取得する記帳データ取得手段と、取得した記帳データに基づいて通帳に対し記帳処理を行う印字手段とを備えることを特徴とする。
【発明の効果】
【０００９】
本発明の記帳制御方法によれば、通帳に設けられた記録媒体から通帳情報を抽出できないと判断すると、顧客の取引カードを用いて認証を行う。これにより顧客が認証されると、直ちに記帳に必要な記帳データを取得し、該記帳データに基づいて記帳を行うことから、通帳の記録媒体に通帳情報を再生必要がなく、迅速かつ簡便に記帳することができる。
更に、本発明の記帳制御方法によれば、通帳の記録媒体に通帳情報を再生しなくとも、記帳を行うことから、記録媒体そのものが損傷して通帳情報を再生不可能な通帳にも記帳することができる。
【発明を実施するための最良の形態】
【００１０】
以下、本発明の実施形態を図を用いて詳細に説明する。
本発明の記帳の対象となる通帳は、金融機関が顧客に対し発行したものである。金融機関は、通帳に対応したキャッシュカードを顧客カードとして顧客に対し発行する。金融機関が発行する通帳やキャッシュカードには、顧客を認証するための暗証番号が対応付けられて管理されており、利用者から得た暗証番号と管理している暗証番号とを照合し、一致すると金融取引が実施可能となる。
【実施例１】
【００１１】
本発明の記帳制御方法を適用した自動取引装置としてのＡＴＭ（Automated
Teller Machine）１０は、図２に示すように、ネットワーク２０を介して管理センタ３０と接続されており、いわゆる金融システムの一構成を成す。
【００１２】
管理センタ３０は、顧客を認証するための暗証番号や通帳データをデータベース３１で保持管理している。
ところで、通帳データは、未記帳の取引内容を通帳に記帳するためのデータであり、すなわち、入金や出金などの取引内容と、取引日と、取引額、口座残高などであり、これらの情報が口座番号毎に対応付けられてデータベース３１で保持されている。
【００１３】
ＡＴＭ１０は、顧客からの入力を受入れて、該入力に対応した表示を行う操作表示部１１と、顧客の通帳を受入れて記帳を行う記帳部１２と、キャッシュカードを受入れ該キャッシュカードに記録された情報を読取るカード読取部１３と、顧客からの入金や顧客への出金を行う入出金部１４と、ネットワークを介して管理センタ３０と通信するための通信部１５と、前記各部の制御を行う制御部５０とを備えている。
【００１４】
操作表示部１１は、利用者からの指示を受入れる入力キーと、その指示に応じた表示を行う表示パネルとで構成されている。
記帳部１２は、利用者から通帳を受入れるための通帳挿入口１２１と、該通帳挿入口から挿入された通帳に設けられている記録媒体としての磁気ストライプ（ＭＳ）に記録される通帳情報を読み出す通帳情報抽出部１２２と、後述する記帳データに基づいて印字を行う印字部１２３とを備えている。すなわち記帳部１２は、利用者の通帳から通帳情報を抽出し、該通帳情報に基づいて取得する記帳データに基づいて印字処理を行う。
【００１５】
ところで、ＭＳに記録される通帳情報は、金融機関番号や、支店番号、口座番号などの識別情報であり、このような識別情報がキャッシュカードの磁気ストライプにも記録されている。前記した識別情報は、金融機関と顧客との間で取り決めた暗証番号に対応づけられており、該暗証番号が管理センタ３０のデータベース３１で保持されている。キャッシュカードや通帳から読み出した識別情報に対応する暗証番号と、利用者が入力キーを操作して入力した番号とを突き合わせ、番号の一致で顧客を認証する。
【００１６】
カード読取部１３は、顧客からキャッシュカードを受入れて、該カードに記録されているカード情報を取得する機能を備えている。取得したカード情報は、制御部５０へ送られて、顧客の認証に用いられる。顧客の認証は、操作表示部１１から顧客が入力した暗証番号と、予め保持管理している暗証番号とを突き合わせており、番号が一致すると顧客が認証される。
【００１７】
入出金部１４は、認証された顧客の操作要求に応じて、入金および出金のための機構を制御する。
通信部１５は、ネットワーク２０を介して接続する管理センタ３０と通信するための通信制御を行う。通信内容は、顧客を認証するための暗証番号やその認証結果および記帳データなどである。
【００１８】
制御部５０は、図１に示すように、ＭＳに保持される通帳情報を抽出する制御指示を行う通帳情報抽出手段５１と、通帳情報を抽出できないとき、顧客からキャッシュカードを受入れて、当該顧客の認証を行う制御指示を行う認証手段５２と、顧客が認証されると、記帳を行うために必要な記帳データを管理センタ３０から取得するための制御指示を行う記帳データ取得手段５３と、取得した記帳データに基づいて通帳に対し印字を行う制御指示を行う印字手段５４とを備えている。
【００１９】
通帳情報抽出手段５１は、通帳挿入口１２１から受入れた通帳のＭＳに記録されている通帳情報を読取るべく、通帳情報抽出部１２２を起動させる制御を行う。この制御指示を受けた通帳情報抽出部１２２は、通帳のＭＳから通帳情報を抽出すべく、該通帳情報の読み出し処理を行う。
【００２０】
ところで、通帳情報抽出部１２２は、ＭＳの損傷や消磁などにより、ＭＳから通帳情報を抽出できないと判断すると、その旨を制御部５０へ通知する機能を備えている。
【００２１】
認証手段は、通帳情報の抽出不可の通知を受けると、キャッシュカードで顧客を認証すべく、カード読取部１３を起動させる制御を行う。カード読取部１３から取得した情報から、顧客の口座番号を抽出すると、該口座番号に対応付けて管理されている暗証番号と、顧客から入力された暗証番号とを照合して顧客の認証を行う。
【００２２】
顧客が認証されると、通帳データ取得手段５３は、管理センタ３０のデータベース３１で口座番号に対応付けられて保持する通帳データを取得すべく、通信部１５の起動制御を指示する。
印字手段は、データベース３１から取得した通帳データに基づいて、印字を行う制御を印字部１２３に指示する。
【００２３】
次に、金融システムにおける記帳処理の動作を図３のフローチャートに沿って説明する。
操作表示部１１の表示パネルには、メニュー画面、すなわち顧客待ち画面が表示されている。顧客待ち画面は、記帳処理、入金処理、出金処理および振り込み処理などの各処理から所望の処理を利用者に選択させるための表示画面である。
【００２４】
顧客が操作表示部１１の入力キーを操作して、「通帳記帳」を選択すると、操作表示部１１の表示パネルに、記帳部１２の通帳挿入口１２１から顧客の通帳を挿入させる案内が表示される。この表示に従って、通帳挿入口１２１から通帳が挿入されると（ステップＳ１）、該通帳のＭＳから通帳情報を読み取るべく、通帳情報抽出手段５１からの制御指示を受けて通帳情報抽出部１２２が起動する。通帳情報抽出部１２２は、通帳情報の読取処理を行って、通帳情報が正常に読み出せたか否かを判定する（ステップＳ２）。
【００２５】
通帳情報の読み取りが成功すると、記帳データ取得手段５３の制御指示を受けた通信部１５は、通帳情報抽出部１２２で取得した通帳情報（識別情報）を管理センタ３０へ伝送し、該管理センタ３０のデータベースから識別情報に該当する通帳データを取得する。取得した通帳データは、印字手段５４の制御指示を受けて動作する印字部１２３に送られると、該印字部１２３は通帳データに基づいて通帳に印字を行う（ステップＳ３）。印字部１２３により記帳された通帳は、通帳挿入口１２１から排出される（ステップＳ４）。
【００２６】
一方、前記ステップＳ２の判定において、ＭＳが損傷するか又は磁石に触れる等して、磁気情報が失われ、通帳情報が読み出せないとき、図４に示す強制記帳選択画面が操作表示部１１の表示パネルに表示される（ステップＳ５）。この表示に基づいて、顧客が強制記帳の指示を行うと、表示パネルにカード読取部１３の図示しないカード挿入口から顧客が保持するキャッシュカードを挿入させる案内が表示される（ステップＳ６）。
【００２７】
キャッシュカードを受け入れたカード読取部１３は、キャッシュカードに記録されているカード情報（識別情報）を読み出す。その後、顧客に入力キーで暗証番号を入力させる（ステップＳ７）。顧客が入力した暗証番号と、キャッシュカードから読取った識別情報とは認証電文として、記帳データ取得手段５３の制御指示を受けた通信部１５により管理センタ３０へ伝送される。
【００２８】
認証電文を受信した管理センタ３０は、識別情報に対応付けて管理しているデータベース３１の暗証番号と、顧客から得た暗証番号とを照合する。この照合が一致すると顧客が認証され、その後、管理センタ３０は、識別情報に対応付けて管理している記帳データをデータベースから取得すると、該記帳データをネットワーク２０を介してＡＴＭ１０へ送信する。
【００２９】
記帳データ取得手段５３の制御を受けて動作する通信部１５で管理センタ３０からの記帳データを受信すると、該通帳データは、印字手段５４の制御指示を受けて動作する印字部１２３に送られる。そして印字部１２３は通帳データに基づいて通帳に印字を行う（ステップＳ８）。
【００３０】
ところで、ＭＳが損傷していなければ、印字している間に、管理センタ３０のデータベースで管理している通帳情報を取得してＭＳに書込むことにより、再生してもよい（ステップＳ９）。
印字部１２３により記帳された通帳は、通帳挿入口１２１から排出される（ステップＳ１０）。
【００３１】
前記したように、ＭＳから通帳情報が取得できない場合でも、キャッシュカードを用いた認証により、顧客が認証されると直ちに記帳データを取得して、該記帳データに基づいて印字処理を行うことから、ＭＳに通帳情報を再生してから記帳する手間を省くことができる。更に、ＭＳを再生しないことから、損傷によりＭＳに通帳情報を再生でいない通帳に対しても、記帳を行うことができる。
【００３２】
次に、金融システムにおける出金処理の動作を図５のフローチャートに沿って説明する。
操作表示部１１の表示パネルに待ち画面が表示されており、利用者が出金処理を指示すると（ステップ２０）、キャッシュカードをカード挿入口に挿入する案内が表示される（ステップＳ２１）。キャッシュカードを受け入れたカード読取部１３は、キャッシュカードに記録されているカード情報（識別情報）を読み出す。その後、顧客に入力キーで暗証番号を入力させる（ステップＳ２２）。顧客が入力した暗証番号と、キャッシュカードから読取った識別情報とが認証電文として通信部１５により管理センタ３０へ送信される。
【００３３】
認証電文を受信した管理センタ３０は、識別情報に対応付けて管理しているデータベース３１の暗証番号と、顧客から得た暗証番号とを照合する。この照合が一致すると顧客が認証され、管理センタ３０からＡＴＭ１０へ認証通知が伝送される。認証通知を受けたＡＴＭ１０は、顧客に通帳を通帳挿入口１２１に挿入させる案内を表示パネルに表示する（ステップＳ２３）。
【００３４】
通帳挿入口１２１から通帳が挿入されると、該通帳のＭＳから通帳情報を読み取るべく、通帳情報抽出手段５１からの制御指示を受けて通帳情報抽出部１２２が起動する。通帳情報抽出部１２２は、通帳のＭＳから通帳情報を読み取り、通帳情報が正常に読み出せたか否かを判定する（ステップＳ２４）。
【００３５】
通帳情報の読み出しが成功すると、顧客に支払い金額を入力キーで入力させると共に、その取引内容の確認を行わせる（ステップＳ２５）。確認を終えた取引内容は支払い取引電文として管理センタ３０へ伝送すべく、ＡＴＭ１０と管理センタ３０との間で通信が行われる（ステップＳ２６）。支払い取引電文を受信した管理センタ３０は、取引電文に示される内容に基づいて、当該顧客の口座から出金するための処理を行い、その出金結果を反映した記帳データを生成し、該記帳データをＡＴＭ１０へ送信する。このとき、管理センタ３０は、ＡＴＭ１０に対し出金を承認する承認データも生成し、該承認データをＡＴＭ１０へ送信する。
【００３６】
記帳データ取得手段５３の制御指示を受けて動作する通信部１５により受信された通帳データは、印字手段５４の制御指示を受けて動作する印字部１２３に送られる。通帳データを受けた印字部１２３は、該通帳データに基づいて通帳に印字を行う（ステップＳ２７）。そして、制御部５０の制御を受けて動作する入出金部１４は、管理センタ３０からの承認データに基づいて承認された金額の現金を図示しない金庫部から入出金口に搬送させる制御を行う（ステップＳ２８）。その後、印字部１２３により記帳された通帳が通帳挿入口１２１から排出され（ステップＳ２９）、顧客が入出金口から現金を取り出して（ステップＳ２８）、出金処理が終了する。
【００３７】
一方、前記ステップＳ２４の判定において、ＭＳの損傷などで通帳情報が読み出せないとき、図６に示す強制記帳選択画面が操作表示部１１の表示パネルに表示される。この表示に基づいて、顧客が強制記帳の指示を行うと（ステップＳ３１）、顧客に支払い金額を入力キーで入力させると共に、その取引内容の確認を行わせる（ステップＳ３２）。確認を終えた取引内容が支払い取引電文として管理センタ３０へ伝送される（ステップＳ３３）。
【００３８】
電文を受信した管理センタ３０は、該電文に示される内容に基づいて、当該顧客の口座から出金するための処理を行い、その出金結果を反映した記帳データを生成し、該記帳データをＡＴＭ１０へ送信する。このとき、管理センタ３０は、ＡＴＭ１０に対し出金を承認する承認データも生成し、該承認データをＡＴＭ１０へ送信する。このとき、管理センタ３０は、ＭＳに記録させる通帳情報も送信する。
【００３９】
記帳データ取得手段５３の制御指示を受けて動作する通信部１５により受信された通帳データは、印字手段５４の制御指示を受けて動作する印字部１２３に送られ、該印字部１２３は通帳データに基づいて通帳に印字を行う（ステップＳ３４）。
【００４０】
印字の間に、読取れなかった通帳情報をＭＳに再生する処理を行う。この再生処理で、ＭＳが損傷しており、該ＭＳに通帳情報を記録できなかったとき、図７に示すエラーメッセージを表示パネルに表示する（ステップＳ３６）。
ＭＳに対する通帳情報の再生処理を行った後、制御部５０の制御を受けて動作する入出金部１４は、管理センタ３０からの承認データに基づいて承認された金額の現金を図示しない金庫部から入出金口に搬送する（ステップＳ２８）。その後、印字部１２３により記帳された通帳が通帳挿入口１２１から排出され（ステップＳ２９）、顧客が入出金口から現金を取り出すと（ステップＳ２８）、出金処理が終了する。
【００４１】
次に、金融システムにおける入金処理の動作を図８のフローチャートに沿って説明する。
操作表示部１１の表示パネルに待ち画面が表示されており、利用者が入金処理を指示すると（ステップ４０）、ＡＴＭ１０は、顧客に通帳を通帳挿入口１２１に挿入させる案内を表示パネルに表示する（ステップＳ４１）。
【００４２】
通帳挿入口１２１から通帳が挿入されると、該通帳のＭＳから通帳情報を読み取るべく、通帳情報抽出手段５１からの制御指示を受けて通帳情報抽出部１２２が起動する。通帳情報抽出部１２２は、通帳のＭＳから通帳情報の読み取り処理を行い、通帳情報が正常に読み出せたか否かを判定する（ステップＳ４２）。
【００４３】
通帳情報の読み出しが成功すると、入出金口に現金を投入させる案内を表示パネルに表示する（ステップＳ４３）。この案内表示に従って現金が投入されると、入出金部１４は、投入された現金を計数処理する。計数結果は通帳情報と共に入金取引電文として、管理センタ３０へ伝送すべく、ＡＴＭ１０と管理センタ３０との間で通信が行われる（ステップＳ４４）。
【００４４】
支払い取引電文を受信した管理センタ３０は、取引電文に示される内容に基づいて、当該顧客の口座へ入金するための処理を行い、その入金結果を反映した記帳データを生成し、該記帳データをＡＴＭ１０へ送信する。
【００４５】
記帳データ取得手段５３の制御指示を受けて動作する通信部１５は通帳データを受信すると、該通帳データを印字手段５４の制御指示を受けて動作する印字部１２３に送る。通帳データを受けた印字部１２３は、該通帳データに基づいて印字処理を行う（ステップＳ４５）。その後、制御部５０の制御を受けて動作する入出金部１４は、入出金口の現金を金庫部へ搬送する（ステップＳ４６）。現金が金庫部に収納されると、印字部１２３により記帳された通帳が通帳挿入口１２１から排出され（ステップＳ４７）、出金処理が終了する。
【００４６】
一方、前記ステップＳ４２の判定において、ＭＳの損傷などで通帳情報が読み出せないとき、図６に示す強制記帳選択画面が操作表示部１１の表示パネルに表示される。この表示に基づいて、顧客が強制記帳の指示を行うと（ステップＳ４８）、キャッシュカードをカード挿入口に挿入する案内が表示される（ステップＳ４９）。キャッシュカードを受け入れたカード読取部１３は、キャッシュカードに記録されているカード情報（識別情報）を読み出す。その後、顧客に入力キーで暗証番号を入力させる（ステップＳ５０）。顧客が入力した暗証番号と、キャッシュカードから読取った識別情報とは、認証電文として通信部１５により管理センタ３０へ送信される。
【００４７】
認証電文を受信した管理センタ３０は、識別情報に対応付けて管理しているデータベース３１の暗証番号と、顧客から得た暗証番号とを照合する。この照合が一致すると顧客が認証され、管理センタ３０からＡＴＭ１０へ認証通知が伝送される。認証通知を受けた
ＡＴＭ１０は、入出金口に現金を投入させる案内を表示パネルに表示する（ステップＳ５１）。この案内表示に従って現金が投入されると、入出金部１４は、投入された現金を計数処理する。
【００４８】
計数結果は通帳情報と共に入金取引電文として管理センタ３０へ伝送すべく、ＡＴＭ１０と管理センタ３０との間で通信が行われる（ステップＳ５２）。
支払い取引電文を受信した管理センタ３０は、取引電文に示される内容に基づいて、当該顧客の口座へ入金するための処理を行い、その入金結果を反映した記帳データを生成し、該記帳データをＡＴＭ１０へ送信する。
【００４９】
記帳データ取得手段５３の制御指示を受けて動作する通信部１５は通帳データを受信すると、該通帳データを印字手段５４の制御指示を受けて動作する印字部１２３に送る。通帳データを受けた印字部１２３は、該通帳データに基づいて印字処理を行う（ステップＳ５３）。
【００５０】
印字の間に、読取れなかった通帳情報をＭＳに再生する処理を行う。この再生処理で、ＭＳが損傷しており、該ＭＳに通帳情報を記録できなかったとき、図７に示すエラーメッセージを表示パネルに表示する（ステップＳ５５）。
その後、制御部５０の制御を受けて動作する入出金部１４は、入出金口の現金を庫部へ搬送する（ステップＳ５６）。現金が金庫部に収納されると、印字部１２３により記帳された通帳が通帳挿入口１２１から排出され（ステップＳ５７）、出金処理が終了する。
【００５１】
前記したように、出金処理および入金処理に伴って記帳を行う際、ＭＳから通帳情報が取得できない場合でも、キャッシュカードを用いた認証により、顧客が認証されると直ちに記帳データを取得して、該記帳データに基づいて印字処理を行うことから、ＭＳに通帳情報を再生し、その後改めて入金処理や出金処理を行う煩わしさが防止される。更に、ＭＳを再生し直してから入金処理や出金処理を行わないことで、ＭＳが損傷して通帳情報を再生でいない通帳に対しても、記帳を行うことができる。
【図面の簡単な説明】
【００５２】
【図１】本発明の記帳制御を行う制御部の機能ブロック図である。
【図２】金融システムを示すシステム構成図である。
【図３】記帳処理のフローチャートである。
【図４】強制記帳の選択画面を示す図である。
【図５】出金処理のフローチャートである。
【図６】入金処理および出金処理における強制記帳の選択画面を示す図である。
【図７】磁気ストライプの再生エラー画面を示す図である。
【図８】入金処理のフローチャートである。
【符号の説明】
【００５３】
５０  制御部
５１  通帳情報抽出手段
５２  認証手段
５３  記帳データ取得手段
５４  印字手段
【図１】
2006040074.tif 000003
【図２】
2006040074.tif 000004
【図３】
2006040074.tif 000005
【図４】
2006040074.tif 000006
【図５】
2006040074.tif 000007
【図６】
2006040074.tif 000008
【図７】
2006040074.tif 000009
【図８】
2006040074.tif 000010